(57)【要約】【課題】化粧対象となる柱を容易かつ適切に、また経時的な劣化少なく、化粧し得る化粧材の提供。【解決手段】水平断面を四角形とする化粧対象となる柱Ｐの隅部Ｐｂにそれぞれ、上下方向に亘る目地状隙間Ｓを形成させるようにして、この柱Ｐを化粧する化粧材である。柱Ｐの隅部Ｐｂにそれぞれ取り付けられるコーナー化粧体１と、柱Ｐの側面Ｐａをそれぞれ覆う板状化粧体２とを有する。柱Ｐへの取り付け状態において、隣り合う板状化粧体２、２の縁部２ａ間に、コーナー化粧体１の外面１”を目地底面Ｓａとする目地状隙間Ｓを形成させるようになっている。【選択図】図３
2013113058.tif 000002
【特許請求の範囲】
【請求項１】
水平断面を四角形とする化粧対象となる柱の隅部にそれぞれ、上下方向に亘る目地状隙間を形成させるようにして、この柱を化粧する化粧材であって、
前記柱の隅部にそれぞれ取り付けられるコーナー化粧体と、前記柱の側面をそれぞれ覆う板状化粧体とを有しており、
前記柱への取り付け状態において、隣り合う板状化粧体の縁部間に、前記コーナー化粧体の外面を目地底面とする前記目地状隙間を形成させるようになっていることを特徴とする柱用化粧材。
【請求項２】
板状化粧体の縁部は、外側面取り部と内側面取り部とにより水平断面において三角形状となるように成形されており、柱への取り付け状態において前記外側面取り部がこの柱の中心及び隅部を通る仮想の直線に対し直交する目地状隙間の入り口側方面を構成し、かつ、前記内側面取り部がこの仮想の直線に平行をなす前記目地状隙間の内側面を構成するようになっていることを特徴とする柱用化粧材。
【請求項３】
柱への取り付け状態において、この柱の外観を構成するコーナー化粧体及び板状化粧体の外面が化粧シート若しくは化粧フィルムによって被覆され、又は、この外面に塗膜が形成されていることを特徴とする請求項１又は請求項２に記載の柱用化粧材。
【請求項４】
コーナー化粧体の化粧シート若しくは化粧フィルムと同一の化粧シート若しくは化粧フィルムにより板状化粧体の外面が被覆され、又は、コーナー化粧体に形成された塗膜と同一の塗膜が板状化粧体の外面に形成されていることを特徴とする請求項３に記載の柱用化粧材。
【請求項５】
コーナー化粧体は、柱の隅部を挟んだ側面の一方に添装される一方板体と、この隅部を挟んだ側面の他方に添装される他方板体とを、両板体の上下方向に沿った一方縁部間を屈曲中心として両板体のこの一方縁部を突き合わせる屈曲可能に化粧シート又は化粧フィルムによって一体化させてなることを特徴とする請求項３に記載の柱用化粧材。
【発明の詳細な説明】
【技術分野】
【０００１】
この発明は、建築物の構造材としての柱、または、建築物の内装材としての柱の意匠性を向上させるために用いられる化粧材に関する。
【背景技術】
【０００２】
建築物を構成する柱のうち、建築物の室内などにおいて柱の側面を露出させた状態で配置される柱には、化粧材により化粧を施す必要がある場合がある。こうした化粧には、通例、化粧板や化粧シートが用いられている。しかるに、かかる化粧に化粧板を用いる場合は、柱への取り付け状態においてこの化粧板自体の端面（木口）が柱の外観の一部となってしまうため、隣り合う化粧板の端面同士を柱の隅部で突き合わせるなど、これを目立たなくするための処理が別途必要となる。また、かかる化粧に化粧シートを用いる場合は、化粧シート間の継ぎ目が少なからず柱の外観に表れてしまうところである。また、化粧対象となる柱が木製あるいは木質材からなる場合、経年変化により柱に収縮などが生じると、前記の化粧シートの継ぎ目が目立つようになる場合も少なくない。
【０００３】
また、前記化粧板は、最も利用頻度の高い柱の寸法に合った寸法のものとして用意されることが常であるところ、かかる柱が木製あるいは木質材からなる場合には前記経年変化により寸法が変化している場合も少なくなく、このような場合には前記のように用意した化粧板はリフォーム工事においてそのまま使用することができない。
【発明の概要】
【発明が解決しようとする課題】
【０００４】
この発明が解決しようとする主たる問題点は、化粧対象となる柱を容易かつ適切に、また経時的な劣化少なく、化粧し得る化粧材を提供する点にある。
【課題を解決するための手段】
【０００５】
前記課題を達成するために、この発明にあっては、柱用化粧材を、水平断面を四角形とする化粧対象となる柱の隅部にそれぞれ、上下方向に亘る目地状隙間を形成させるようにして、この柱を化粧する化粧材であって、
前記柱の隅部にそれぞれ取り付けられるコーナー化粧体と、前記柱の側面をそれぞれ覆う板状化粧体とを有しており、
前記柱への取り付け状態において、隣り合う板状化粧体の縁部間に、前記コーナー化粧体の外面を目地底面とする前記目地状隙間を形成させるようになっているものとした。
【０００６】
かかる柱用化粧材によれば、化粧対象となる柱の四つの隅部にそれぞれコーナー化粧体を取り付けた後、この柱の四つの側面にそれぞれ板状化粧体を取り付けることで、かかる柱の意匠性を容易に向上させることができる。また、かかる柱用化粧材によれば、化粧対象となる柱が木製又は木質材からなる場合にこれに経時的に収縮などが生じたときでも、これによる変化を前記目地状隙間により目立たないように吸収することができ、このような場合でも前記柱の意匠性を長期に亘り維持させることができる。
【０００７】
前記板状化粧体の縁部を、外側面取り部と内側面取り部とにより水平断面において三角形状となるように成形し、柱への取り付け状態において前記外側面取り部がこの柱の中心及び隅部を通る仮想の直線に対し直交する目地状隙間の入り口側方面を構成し、かつ、前記内側面取り部がこの仮想の直線に平行をなす前記目地状隙間の内側面を構成するようにしておくこともある。
【０００８】
このようにした場合、前記柱の縁部にそれぞれ、この縁部を挟んで隣り合う板状化粧体の外側面取り部によって、面取り状部を形成させることができると共に、この面取り状部に直交する向きに形成されてこの面取り状部を左右に二分する前記目地状隙間を形成させることができる。
【０００９】
前記柱への取り付け状態において、この柱の外観を構成するコーナー化粧体及び板状化粧体の外面を化粧シート若しくは化粧フィルムによって被覆させ、又は、この外面に塗膜を形成させておくことが好ましい態様の一つとされる。この場合、さらに、コーナー化粧体の化粧シート若しくは化粧フィルムと同一の化粧シート若しくは化粧フィルムにより板状化粧体の外面を被覆させ、又は、コーナー化粧体に形成された塗膜と同一の塗膜を板状化粧体の外面に形成させておくことが好ましい。
【００１０】
前記コーナー化粧体を、柱の隅部を挟んだ側面の一方に添装される一方板体と、この隅部を挟んだ側面の他方に添装される他方板体とを、両板体の上下方向に沿った一方縁部間を屈曲中心として両板体のこの一方縁部を突き合わせる屈曲可能に化粧シート又は化粧フィルムによって一体化させてなるものとしておくこともある。
【００１１】
このようにコーナー化粧体を構成させた場合、柱に取り付けるまでの間は、コーナー化粧体は平面状をなすことから、複数のコーナー化粧体を積み重ねて取り扱うことができ、その保管運搬において都合が良い。
【発明の効果】
【００１２】
この発明にかかる柱用化粧材によれば、化粧対象となる柱を容易かつ適切に、また経時的な劣化少なく、化粧することができる。
【図面の簡単な説明】
【００１３】
【図１】図１は実施の形態にかかる柱用化粧材によって化粧された柱の斜視図である。
【図２】図２は図１の柱の一部破断斜視図である。
【図３】図３は図１の柱の横断面図である。
【図４】図４は化粧対象となる柱と実施の形態にかかる柱用化粧材とを分離した状態で示した斜視図である。
【図５】図５は実施の形態にかかる柱用化粧材を構成するコーナー化粧体の横断面図である。
【図６】図６は柱用化粧材を構成するコーナー化粧体の他の構成例を示した横断面図である。
【図７】図７は実施の形態にかかる柱用化粧材を構成する板状化粧体の横断面図である。
【図８】図８は実施の形態にかかる柱用化粧材を構成するスペーサー体の横断面図である。
【発明を実施するための形態】
【００１４】
以下、図１〜図８に基づいて、この発明の典型的な実施の形態について、説明する。この実施の形態にかかる柱用化粧材は、建築物の構造材としての柱Ｐ、または、建築物の内装材としての柱Ｐの意匠性を向上させるために用いられるものである。また、かかる柱用化粧材は、リフォーム工事において、このような柱Ｐの意匠性を向上させるために用いられるものである。
【００１５】
かかる柱用化粧材は、典型的には、建築物の室内などにおいて、柱Ｐの側面を露出させた状態で配置される水平断面を四角形とする化粧対象となる柱Ｐに取り付けられてこの柱Ｐの側面Ｐａをこの柱Ｐの全周において覆うものである。（図１〜図３）
【００１６】
そして、かかる柱用化粧材は、前記柱Ｐの隅部Ｐｂにそれぞれ、上下方向に亘る目地状隙間Ｓを形成させるようにして、この柱Ｐを化粧するようになっている。（図１〜図３）
【００１７】
かかる柱用化粧材は、前記柱Ｐの隅部Ｐｂにそれぞれ取り付けられるコーナー化粧体１と、前記柱Ｐの側面Ｐａをそれぞれ覆う板状化粧体２とからなる。図示の例では、柱用化粧材は、水平断面を正方形とする柱Ｐに取り付けられる構成となっている。したがって、図示の例では、柱用化粧材は、同寸同形の四つのコーナー化粧体１…１と、同寸同形の四つの板状化粧体２…２とを有し、これに後述のスペーサー体３を含んで、構成されている。かかるコーナー化粧体１、板状化粧体２及びスペーサー体３は、典型的には、木材、あるいは、ＭＤＦなどの木質繊維を原料とする成型板から構成される。コーナー化粧体１及び板状化粧体２は、柱Ｐの露出部分、図１に示される例では、柱Ｐにおける天井Ｒとの取り合い箇所から床Ｆとの取り合い箇所までを覆うことのできる長さを有すると共に、その幅方向に沿った断面をその長さ方向のいずれの箇所においても同一形状とするように構成されている。
【００１８】
前記コーナー化粧体１は、前記柱Ｐの隅部Ｐｂへの取り付け状態において、水平断面をＬ字状とするように構成される。そして、かかるコーナー化粧体１は、その屈曲箇所１ａを柱Ｐの隅部Ｐｂの外側に位置させると共に、この屈曲箇所１ａを挟んだ一方側の内面１’を柱Ｐの隅部Ｐｂを挟んだ左右の側面Ｐａ、Ｐａの一方に密着させ、かつ、この屈曲箇所１ａを挟んだ他方側の内面１’を柱Ｐの隅部Ｐｂを挟んだ左右の側面Ｐａ、Ｐａの他方に密着させて、かかる柱Ｐの隅部Ｐｂを柱Ｐの全長に亘って覆うようになっている。
【００１９】
図示の例では、かかるコーナー化粧体１は、柱Ｐの隅部Ｐｂを挟んだ左右の側面Ｐａ、Ｐａの一方に添装される一方板体１ｂと、この隅部Ｐｂを挟んだ左右の側面Ｐａ、Ｐａの他方に添装される他方板体１ｂとを、両板体１ｂ、１ｂの上下方向に沿った一方縁部１ｃ間を屈曲中心として両板体１ｂ、１ｂのこの一方縁部１ｃを突き合わせる屈曲可能に化粧シート又は化粧フィルム１ｇによって一体化させてなる。
【００２０】
具体的には、図示の例では、前記一方板体１ｂと他方板体１ｂはいずれも細長い板状を呈すると共に、互いに同寸同形をなしている。そして、この一方板体１ｂと他方板体１ｂとを、その一方縁部１ｃ間にわずかな隙間を開けて、かつ、一方板体１ｂの内面１ｄと他方板体１ｂの内面１ｄ及び一方板体１ｂの外面１ｅと他方板体１ｂの外面１ｅとを同面上に位置させるように並べた状態において、コーナー化粧体１の外面１”となる両板体１ｂ、１ｂの外面１ｅに一枚の前記化粧シート又は化粧フィルム１ｇを貼り付けることで、両板体１ｂ、１ｂを一体化させている。両板体１ｂ、１ｂの外面１ｅは、その全体が前記化粧シート又は化粧フィルム１ｇによって被覆されている。また、両板体１ｂ、１ｂの一方縁部１ｃにはそれぞれ、その内面１ｄ側において、この一方縁部１ｃの端末に向かうに連れてこの一方縁部１ｃの厚さを減じさせる傾斜面１ｆが形成されている。この傾斜面１ｆと両板体１ｂ、１ｂの外面１ｅがなす角度は略４５度となっている。これにより、両板体１ｂ、１ｂの上下方向に沿った一方縁部１ｃ間にある前記化粧シート又は化粧フィルム１ｇを変形させて両板体１ｂ、１ｂのこの一方縁部１ｃを突き合わせる前記屈曲をさせると、一方板体１ｂの傾斜面１ｆと他方板体１ｂの傾斜面１ｆとが当接して、コーナー化粧体１は前記のように水平断面をＬ字状とするようになっている。このようにコーナー化粧体１を構成させた場合、柱Ｐに取り付けるまでの間は、コーナー化粧体１は平面状をなすことから、複数のコーナー化粧体１を積み重ねて取り扱うことができ、その保管運搬において都合が良い。
【００２１】
かかるコーナー化粧体１は、典型的には、柱Ｐの隅部Ｐｂに対し、接着又は釘あるいはビスを用いて、固着される。
【００２２】
かかるコーナー化粧体１は、図６に示されるように、水平断面をＬ字状として、その屈曲箇所１ａを挟んだ一方側を前記柱Ｐの隅部Ｐｂを挟んだ一方側の側面Ｐａに密着させ、かつ、この屈曲箇所１ａを挟んだ他方側を隅部Ｐｂを挟んだ他方側の側面Ｐａに密着させてこの隅部Ｐｂに取り付けられる長尺材によって構成させておくこともできる。また、このようにした場合、コーナー化粧体１の外面１”は、前記化粧シート又は化粧フィルム１ｇに代えて、塗膜により化粧するようにしても良い。
【００２３】
一方、前記板状化粧体２は、前記柱Ｐの側面Ｐａの幅よりもやや広い幅を有し、その内面２’を、先にこの柱Ｐの隅部Ｐｂに取り付けられたコーナー化粧体１の外面１”に密着させるようにして、かかる柱Ｐに取り付けられる。かかる板状化粧体２は、典型的には、柱Ｐの側面Ｐａに対し、接着又は釘あるいはビスを用いて、固着される。なお、図示の例では、前記柱Ｐの側面Ｐａであって、先に取り付けられたコーナー化粧体１間に位置される箇所には、かかるコーナー化粧体１と略同じ厚さの板状をなすスペーサー体３が、板状化粧体２の取り付けに先立ってこの箇所を覆うようにして取り付けられるようになっている。このスペーサー体３も、典型的には、接接着又は釘あるいはビスを用いて、柱Ｐの側面Ｐａに固着される。
【００２４】
そして、このように柱Ｐに取り付けられた隣り合う板状化粧体２、２の縁部２ａ間、すなわち、かかる柱Ｐの隅部Ｐｂを挟んだ左右の側面Ｐａ、Ｐａの一方に取り付けられた板状化粧体２の縁部２ａと、この隅部Ｐｂを挟んだ左右の側面Ｐａ、Ｐａの他方に取り付けられた板状化粧体２の縁部２ａと間に、かかる柱Ｐに先に取り付けられている前記コーナー化粧体１の外面１”を目地底面Ｓａとする前記目地状隙間Ｓが形成されるようになっている。すなわち、四枚の板状化粧体２…２の幅と厚さは、各板状化粧体２をそれぞれ前記柱Ｐの対応する側面Ｐａに取り付けた状態において、この柱Ｐの四つの隅部Ｐｂ…Ｐｂにそれぞれ、前記目地状隙間Ｓを形成する寸法に設定されている。例えば、柱Ｐが一つの側面Ｐａの幅を１２０ｍｍとする角材からなり、コーナー化粧体１の厚さが３ｍｍである場合、板状化粧体２を厚さが７ｍｍで幅を１２９．６ｍｍとすると、柱Ｐの各隅部Ｐｂに目地幅を２．１ｍｍとする前記目地状隙間Ｓをそれぞれ形成させた状態で四枚の板状化粧体２…２によって柱Ｐを化粧することができる。
【００２５】
この実施の形態にかかる柱用化粧材によれば、化粧対象となる柱Ｐの四つの隅部Ｐｂ…Ｐｂにそれぞれコーナー化粧体１を取り付けた後、この柱Ｐの四つの側面Ｐａ…Ｐａにそれぞれ板状化粧体２を取り付けることで、かかる柱Ｐの意匠性を容易に向上させることができる。また、かかる柱用化粧材によれば、化粧対象となる柱Ｐが木製又は木質材からなる場合にこれに経時的に収縮などが生じたときでも、これによる変化を前記目地状隙間Ｓにより目立たないように吸収することができ、このような場合でも前記柱Ｐの意匠性を長期に亘り維持させることができる。
【００２６】
また、この実施の形態にあっては、前記板状化粧体２の外面２”を化粧シート又は化粧フィルム２ｄによって被覆するようにしている。図示の例では、板状化粧体２の縁部２ａを含んだ外面２”の全体と、柱Ｐに密着される内面２’における板状化粧体２の幅方向の中央側を除いた箇所とを、一枚の化粧シート又は化粧フィルム２ｄによって被覆させている。かかる板状化粧体２の外面２”は、塗膜により化粧するようにしてあっても良い。
【００２７】
前記コーナー化粧体１の化粧シート若しくは化粧フィルム１ｇと同一の化粧シート若しくは化粧フィルム２ｄにより板状化粧体２の外面２”を被覆し、又は、コーナー化粧体１に形成された塗膜と同一の塗膜を板状化粧体２の外面に形成させるようにしておけば、統一感のある化粧を前記柱Ｐに施すことができる。
【００２８】
また、この実施の形態にあっては、前記板状化粧体２の左右の縁部２ａ、２ａはそれぞれ、外側面取り部２ｂと内側面取り部２ｃとにより水平断面において三角形状となるように成形されている。図示の例では、かかる板状化粧体２の縁部２ａは二等辺三角形状となるように成形されている。それと共に、前記柱Ｐへの取り付け状態において前記外側面取り部２ｂがこの柱Ｐの中心及び隅部Ｐｂを通る仮想の直線ｘに対し直交する目地状隙間Ｓの入り口Ｓｂ側方面を構成し、かつ、前記内側面取り部２ｃがこの仮想の直線ｘに平行をなす前記目地状隙間Ｓの内側面Ｓｃを構成するようになっている。（図３）これにより、この実施の形態にあっては、前記柱Ｐの縁部２ａにそれぞれ、この縁部２ａを挟んで隣り合う板状化粧体２、２の外側面取り部２ｂによって、面取り状部Ｔを形成させることができると共に、この面取り状部Ｔに直交する向きに形成されてこの面取り状部Ｔを左右に二分する前記目地状隙間Ｓを形成させることができる。
【符号の説明】
【００２９】
Ｐ  柱
Ｐａ  側面
Ｐｂ  隅部
Ｓ  目地状隙間
Ｓａ  目地底面
１  コーナー化粧体
１”  外面
２  板状化粧体
２ａ  縁部
【図１】
2013113058.tif 000003
【図２】
2013113058.tif 000004
【図３】
2013113058.tif 000005
【図４】
2013113058.tif 000006
【図５】
2013113058.tif 000007
【図６】
2013113058.tif 000008
【図７】
2013113058.tif 000009
【図８】
2013113058.tif 000010